(57)【特許請求の範囲】
【請求項１】
複数の肥料繰出部４２…と、各肥料繰出部４２…で繰り出された肥料を案内する各条毎の案内管４３…と、該案内管４３…に加圧空気を供給するエアチャンバ−４４とを備える施肥装置１により圃場の複数の位置に施肥を行う施肥機において、前記複数の肥料繰出部４２…のうちの一部の肥料繰出部４２…の繰出の作動を停止させる操作具１０１，１０１，１０１を肥料繰出部４２…の近傍でエアチャンバ−４４に取り付けられた条クラッチレバ−取付枠１０５，１０５，１０５に設けると共に、該操作具１０１，１０１，１０１を前下方に向けて回動操作することにより、該操作具１０１，１０１，１０１に備える駆動体１０１ｂ，１０１ｂ，１０１ｂが繰出クラッチ５６，５６，５６を施肥駆動軸５５に沿って移動させる受動体１０７，１０７，１０７に当接して前記一部の肥料繰出部４２…への伝動を断つ構成とし、前記操作具１０１，１０１，１０１を前下方位置で固定するための係止プレ−ト１０１ｃ，１０１ｃ，１０１ｃをエアチャンバ−４４に固着し、前記繰出クラッチ５６，５６，５６のクラッチ爪５６ａ，５６ａ，５６ａの接触面を施肥駆動軸５５方向に対して傾斜した構成とした施肥機。
【発明の詳細な説明】
【０００１】
【発明の属する技術分野】
この発明は、圃場の複数の位置に施肥を行う施肥機に関するものである。
【０００２】
【従来の技術】
従来、圃場の複数の位置に施肥を行うべく設けられた施肥装置の複数の肥料繰出部を走行車体の後部に設けた施肥機において、圃場の広さにより常に施肥機が備える条数で作業を行って圃場全体に施肥が行えないことがあり、この場合は必要に応じて前記施肥機が備える条数の内の一部の条の施肥を停止させて作業を行わなければならない。そこで、前記複数の肥料繰出部のうちの一部の肥料繰出部の繰出の作動を停止させる操作具が設けられた施肥機がある。また、この施肥機においては、前記操作具と前記一部の肥料繰出部とをそれぞれの操作ワイヤで連結した連結機構を設け、前記操作具の操作により前記複数の肥料繰出部のうちの一部の肥料繰出部の繰出の作動を停止させるものである。
【０００３】
【発明が解決しようとする課題】
上記従来技術の構成においては、操作具と一部の肥料繰出部とを連結した連結機構を設
けているので、前記連結機構のコンパクト化を図るべく前記操作具を前記一部の肥料繰出部の近傍に設けると、肥料繰出部の清掃等のメンテナンス時や前記肥料繰出部を着脱するときに前記操作具や前記連結機構が邪魔になることがあり、メンテナンス性の悪いものとなることがある。そこで、肥料繰出部の清掃等のメンテナンス時や前記肥料繰出部を着脱するときに前記操作具や前記連結機構を取り外すにしても、前記操作具が前記連結機構により前記一部の肥料繰出部と連結されているので、この取り外しが困難なものとなってしまう。
【０００４】
【課題を解決するための手段】
この発明は、上記課題を解決すべく次の技術的手段を講じた。
すなわち、複数の肥料繰出部４２…と、各肥料繰出部４２…で繰り出された肥料を案内する各条毎の案内管４３…と、該案内管４３…に加圧空気を供給するエアチャンバ−４４とを備える施肥装置１により圃場の複数の位置に施肥を行う施肥機において、前記複数の肥料繰出部４２…のうちの一部の肥料繰出部４２…の繰出の作動を停止させる操作具１０１，１０１，１０１を肥料繰出部４２…の近傍でエアチャンバ−４４に取り付けられた条クラッチレバ−取付枠１０５，１０５，１０５に設けると共に、該操作具１０１，１０１，１０１を前下方に向けて回動操作することにより、該操作具１０１，１０１，１０１に備える駆動体１０１ｂ，１０１ｂ，１０１ｂが繰出クラッチ５６，５６，５６を施肥駆動軸５５に沿って移動させる受動体１０７，１０７，１０７に当接して前記一部の肥料繰出部４２…への伝動を断つ構成とし、前記操作具１０１，１０１，１０１を前下方位置で固定するための係止プレ−ト１０１ｃ，１０１ｃ，１０１ｃをエアチャンバ−４４に固着し、前記繰出クラッチ５６，５６，５６のクラッチ爪５６ａ，５６ａ，５６ａの接触面を施肥駆動軸５５方向に対して傾斜した構成とした施肥機とした。
【０００５】
【作用】
本発明の施肥機は、施肥装置１の複数の肥料繰出部４２を繰出作動させ、エアチャンバ−４４から加圧空気が供給される案内管４３により繰り出された肥料の搬送が案内され、圃場の複数の位置に施肥を行う。そして、肥料繰出部４２の近傍に設けた操作具１０１を前下方に向けて回動操作することにより、上記駆動体１０１ｂが上記受動体１０７に当接して繰出クラッチ５６を施肥駆動軸５５に沿って移動させ、前記複数の肥料繰出部４２のうちの一部の肥料繰出部４２への伝動を断ち該肥料繰出部４２の繰出の作動を停止する。また、繰出クラッチ５６，５６，５６のクラッチ爪５６ａ，５６ａ，５６ａの接触面を施肥駆動軸５５方向に対して傾斜した構成としたので、肥料繰出部４２の駆動にメカロックが生じたとき、繰出クラッチ５６の伝動が断たれる。
【０００６】
【発明の効果】
よって、上記操作具１０１が上記肥料繰出部４２の近傍でエアチャンバ−４４に取り付けられた条クラッチレバ−取付枠１０５，１０５，１０５に設けられているので、前記操作具１０１の操作連繋機構のコンパクト化が図れる。更に、前記操作具１０１の前下方への回動操作により上記駆動体１０１ｂが上記受動体１０７に当接して複数の肥料繰出部４２のうちの一部の肥料繰出部４２への伝動を断ち該肥料繰出部４２の繰出の作動を停止する構成としているので、前記操作具１０１を前記肥料繰出部４２から離すべく条クラッチレバ−取付枠１０５，１０５，１０５ごと取り外すことが容易にでき、前記肥料繰出部４２の清掃等のメンテナンス時や該肥料繰出部４２を着脱するときに前記操作具１０１が邪魔にならずに容易に行える。また、肥料繰出部４２の駆動にメカロックが生じたとき繰出クラッチ５６の伝動が断たれるため、前記繰出クラッチ５６は安全クラッチの機能も果たすことができる。
【０００７】
【発明の実施の形態】
この発明の実施の一形態を図面に基づいて説明する。
図１は、施肥機の一例として乗用型の田植機に粒状の肥料を圃場に散布する施肥装置１
が装着された施肥装置付きの乗用型田植機２を示している。この乗用型田植機２は、主として前記施肥装置１と走行車体３と６条植えの苗植付部４とで構成される。
【０００８】
走行車体３の前後左右略中央に駆動源であるエンジン５が備えられ、このエンジン５からの動力により油圧式無断変速装置６、主ミッションケ−ス７を介して前輪８，８及び後輪９，９が駆動されて走行車体３が走行する構成となっている。
【０００９】
また、この走行車体３の後部にリンク機構１０を介して前記苗植付部４が装着され、この苗植付部４は油圧昇降シリンダ１１の伸縮により上下に昇降するように設けられている。また、該苗植付部４は、前記主ミッションケ−ス７からの動力を伝達する作業伝動軸１２、植付クラッチケ−ス１３を介して植付伝動軸１４により伝動されて作動する構成となっている。尚、苗植付部４の駆動の入切を行う植付クラッチ１５が前記植付クラッチケ−ス１３内に設けられている。
【００１０】
苗植付部４は、主として苗載置台１６と植付伝動部１７及び６条分の苗植付装置１８…からなり、前記植付伝動軸１４の動力が入力される植付伝動部１７を介して伝動され作動する構成となっている。また、苗植付部４の下部には中央部にセンタ−フロ−ト１９及び両側部にサイドフロ−ト２０，２０が設けられており、圃場面を滑走するようになっている。また、該苗植付装置１８…が作動すると共に、植付伝動部１７からの動力により左右移動する左右移動棒２１により苗載置台１６を左右移動させ、マット状の苗を苗植付装置１８…により一株づつ掻き取る構成となっている。
【００１１】
苗載置台１６には、各条に苗送りベルト２２…が設けられている。各条の前記苗送りベルト２２…は、下側の駆動ロ−ラ２３…と上側の従動ロ−ラ２４…とに巻回されている。前記駆動ロ−ラ２３…の駆動の構成について説明すると、植付伝動部１７の植付伝動ケ−ス１７ａ内から左右に突出した出力軸２５，２５と一体回転する左右の苗送り駆動カム２６，２６が回転することにより該カム２６，２６に当接して左右それぞれの苗送り伝達ア−ム２７，２７が所定角度回転する。そして、該ア−ム２７，２７と一体回転する苗送り伝達軸２８が駆動される。前記苗送り伝達軸２８には該軸２８と一体回転する各２条毎の苗送り駆動ア−ム２９，２９，２９が設けられ、前記苗送り伝達軸２８の駆動により該苗送り駆動ア−ム２９，２９，２９が駆動する。そして、この各２条毎の苗送り駆動ア−ム２９，２９，２９のそれぞれに枢支軸３０ａ，３０ａ，３０ａにより枢着された苗送り中継ア−ム３０，３０，３０の先端の切欠き部３０ｂ，３０ｂ，３０ｂが、各２条毎の苗送りア−ム３１，３１，３１の先端の筒状部３１ａ，３１ａ，３１ａにそれぞれはまり込んだ構成となっている。従って、前記苗送り駆動ア−ム２９，２９，２９の駆動が前記苗送りア−ム３１，３１，３１に伝達される。前記苗送りア−ム３１，３１，３１にはラチェット爪３１ｂ…が設けられ、苗送りア−ム３１，３１，３１の駆動により前記ラチェット爪３１ｂ…に噛み合う各２条毎のラチェットホイル３２，３２，３２が一定方向にのみ駆動され、該ラチェットホイル３２，３２，３２と各２条毎の苗送り軸３３，３３，３３を介して一体回転する前記駆動ロ−ラ２３…が苗載置台１６上の苗を苗植付装置１８…側に送る方向にのみ回転駆動する。尚、前記左右の苗送り駆動カム２６，２６は、苗載置台１６の左右移動終端の左右それぞれにおいて左右それぞれの苗送り伝達ア−ム２７，２７に当接するように配置されている。従って、苗載置台１６の左右移動終端において苗送りベルト２２…が苗を苗植付装置１８…側に所定量づつ順次移送する。
【００１２】
前記施肥装置１は、苗植付部４の前方に設けられている。この施肥装置１は、圃場に散布する粒状肥料を貯留する肥料タンク４１と各条毎の肥料繰出部４２…と肥料の搬送を案内する各条毎の案内管４３…と該案内管４３…に加圧空気を供給するエアチャンバ−４４と該エアチャンバ−４４に加圧空気を供給する送風ブロア４５とを備えて構成される。尚、前記エアチャンバ−４４は左右方向に長く構成され、該エアチャンバ−４４の左端に前記送風ブロア４５が取り付けられた構成となっている。前記肥料タンク４１及び前記肥料繰出部４２…は、走行車体３の操縦席４６の直ぐ後側となる走行車体３の後部に設けられている。該肥料タンク４１の下に設けた各条毎の肥料繰出部４２…の繰出ロ−ラ４２ａ…が回転することにより所定量毎に肥料を各条の繰出口４２ｂ…を介して前記案内管４３…に供給される。
【００１３】
前記案内管４３…に供給された粒状肥料は、前記エアチャンバ−４４からの加圧空気により該案内管４３…、移送管４７…を介して該移送管４７…終端に設けられた施肥部４８…へ搬送されて圃場に散布される。尚、前記移送管４７…は、フレキシブルなチュ−ブにより構成されている。
【００１４】
前記送風ブロア４５は走行車体３の前部に配置したバッテリ−４９の電源により駆動される構成となっており、この送風ブロア４５の吐出口４５ａとエアチャンバ−４４の左端とが接続されている。
【００１５】
前記施肥部４８…は、作溝器５０を備えて構成され、この作溝器５０が前記移送管４７…とブ−ツ５１…により接続され、苗植付部４による各条の圃場の苗植付位置の側部に肥料が供給されるように前記フロ−ト１９，２０，２０に取り付けられている。該作溝器５０…の前側には作溝突起５０ａ…が設けられ、この作溝突起５０ａ…が機体前進に伴って圃場の泥土を横方向及び下方向に押し分けて作溝し、その作溝された溝内に肥料が供給されるようになっている。また、作溝器５０…の溝を覆土する覆土体５２…が作溝器５０…と同様にフロ−ト１９，２０，２０に設けられている。従って、この乗用型田植機２は、圃場に苗を移植するため圃場内を田植機２が走行するのに伴って圃場内へ肥料の散布を行う構成となっている。
【００１６】
施肥装置１は、肥料繰出部４２…を構成する繰出部ケ−ス４２ｃ…と前記案内管４３…が前記エアチャンバ−４４に溶接された取付台５３…にボルトにより取付固定され、肥料タンク４１が前記繰出部ケ−ス４２ｃ…の前後に設けられた固定フックにより取り付けられた構成となっている。従って、エアチャンバ−４４、送風ブロア４５、肥料タンク４１、肥料繰出部４２…及び案内管４３…は、一体となっている。
【００１７】
前記肥料繰出部４２…の駆動構成について説明すると、前記植付クラッチケ−ス１３内からの伝動により駆動する上下方向の施肥伝動軸５３の動力によりベベルギヤ等が内蔵された繰出駆動ケ−ス５４を介して施肥駆動軸５５が駆動される。尚、前記施肥伝動軸５３は、該軸５３方向に伸縮可能な構成となっている。施肥駆動軸５５から後述する各２条毎の繰出クラッチ５６，５６，５６を介して該駆動軸５５と一体回転する各条毎の駆動ギヤ５７…を設け、各条の該駆動ギヤ５７…とそれぞれ噛み合う各条の従動ギヤ５８…とそれぞれ一体回転可能な各条の繰出軸５９…が駆動され、繰出ロ−ラ４２ａ…が駆動回転される構成となっている。尚、前記各条の従動ギヤ５８…は、肥料繰出部４２…の繰出部ケ−ス４２ｃ…に設けられた各条施肥クラッチ６０…により前記繰出軸５９…に沿って左右移動可能に設けられ、前記各条の駆動ギヤ５７…との噛み合いを解除して当該肥料繰出部４２…の肥料の繰り出しを停止できる構成となっている。
【００１８】
ところで、図７に示すように、前記植付クラッチケ−ス１３には、前側に突出する入力軸６１と後側に突出する苗植付部駆動用出力軸６２と上側に突出する施肥装置駆動用出力軸６３とが備えられている。植付クラッチケ−ス１３内の伝動について説明すると、前記入力軸６１と一体的に設けた駆動クラッチ爪６１ａと噛み合う受動クラッチ爪６４ａを備える受動クラッチ体６４が回転することにより、該受動クラッチ体６４とスプライン６５を介して一体回転するカウンタ駆動軸６６が駆動する。この駆動クラッチ爪６１ａと受動
クラッチ体６４とにより植付クラッチ１５が構成されている。尚、前記受動クラッチ体６４は、前記カウンタ駆動軸６６に対して該軸６６方向にしゅう動可能に設けられている。そして、前記カウンタ駆動軸６６の駆動により、該軸６６と一体回転する駆動スパ−ギヤ６７が駆動し、該ギヤ６７と噛み合う従動スパ−ギヤ６８と一体回転する苗植付部駆動用出力軸６２が駆動して植付伝動軸１４を介して苗植付部４へ動力が伝達される。また、前記カウンタ駆動軸６６の駆動により、該軸６６と一体回転する駆動ベベルギヤ６９が駆動し、該ギヤ６９と噛み合う従動ベベルギヤ７０と一体回転する施肥装置駆動用出力軸６３が駆動して施肥伝動軸５３を介して施肥装置１へ動力が伝達される。
【００１９】
前記受動クラッチ体６４は、圧縮スプリング７１により駆動クラッチ爪６１ａ側に付勢されている。植付クラッチケ−ス１３には前記受動クラッチ体６４の肩部６４ｂに当接可能に植付クラッチピン７２が設けられ、該植付クラッチピン７２が植付クラッチケ−ス１３に対して出入することで前記駆動クラッチ爪６１ａと接離するようになっている。尚、前記受動クラッチ体６４は、植付クラッチピン７２が前記肩部６４ｂに当接することにより所定の回転位置で前記駆動クラッチ爪６１ａから離れるように構成されている。従って、植付クラッチ１５は定位置停止クラッチである。この植付クラッチ１５により苗植付部４を苗植付装置１８…が苗を保持しない所定の位置で停止させることによって、畦際での旋回等の非苗植付時に機体の振動等で苗植付装置１８…が保持した苗が脱落するようなことを防止している。同時に、前記植付クラッチ１５により苗植付部４を苗植付装置１８…がフロ−ト１９，２０，２０の底面より下方に突出しない状態で停止させることによって、植付クラッチ１５「切」状態で上昇させた苗植付部４を下降させることで路面等にフロ−ト１９，２０，２０より先に苗植付装置１８…が接地して苗植付装置１８…が破損するようなことを防止している。また、駆動クラッチ爪６１ａ及び受動クラッチ爪６４ａには互いの接触面がカウンタ駆動軸６６方向に対して傾斜しており、苗植付装置１８…が石を噛み込むなどして苗植付部４の駆動にメカロックが生じたとき、前記圧縮スプリング７１が圧縮されて植付クラッチ１５の伝動が断たれるようになっている。
【００２０】
従って、前記植付クラッチ１５は、苗植付部４の駆動にメカロックが生じたときに苗植付部４への伝動を断つ安全クラッチの機能も果たしている。また、苗植付部４の駆動にメカロックが生じたときに前記植付クラッチ１５により施肥装置１への伝動も断たれるので、苗植付部４の駆動のメカロックにより苗植付部４が停止して苗植付作業を行わない間に施肥装置１の施肥部４８…から肥料が繰り出されることが防止され、圃場における施肥の重複を防止することができる。
【００２１】
次に、肥料繰出部４２の構成について説明する。
肥料繰出部４２の繰出ロ−ラ４２ａの外周面には、回転方向の一定角度毎に繰出溝７３…が設けられており、その繰出溝７３…に肥料タンク４１から落下供給される粒状肥料を溜めて該繰出ロ−ラ４２ａを回動することによって繰出口４２ｂに肥料が繰り出される構成となっている。施肥クラッチ６０と反対側には、開度調節歯車７４が設けられている。該開度調節歯車７４は、前記従動ギヤ５８と一体回転する繰出軸５９に嵌合する歯車回動軸７５回りに回転して左右移動する構成となっている。前記開度調節歯車７４は、開度調節軸７６の小歯車７７と噛み合う。開度調節歯車７４に設けられた調節輪７８から突出し前記繰出溝７３…に嵌合する複数の突子７９…が前記開度調節歯車７４の回動によって繰出溝方向に移動可能とすることで繰出溝７３…の有効長さを変更し、施肥の繰出量を調節するようになっている。すなわち、繰出量調節は、機体右側に設けた開度調節ハンドル８０で前記開度調節軸７６を回動させて各条の前記小歯車７７…を回転させ調節する構成となっている。
【００２２】
また、繰出ロ−ラ４２ａの前側には、該ロ−ラ４２ａ外周面と接触するブラシ８１が設けられており、繰出溝７３…から溢れた肥料を掻き除くように構成される。このブラシ８
１の基部は、繰出部ケ−ス４２ｃに対して前後方向にスライド可能なスライド部材８１ａに締め付けられ固着された構成となっている。従って、該スライド部材８１ａの前後スライドにより、ブラシ８１は繰出ロ−ラ４２ａの外周面から退避可能に設けられている。前記スライド部材８１ａは、回動板８２を上側へ回動させ固定フック８３により固定すると該回動板８２が当接することにより前方向にスライド不可となり、繰出ロ−ラ４２ａの外周面に接触するように固定される。
【００２３】
また、前記繰出ロ−ラ４２ａの前側には、作業終了後等に肥料タンク４１及び肥料繰出部４２に残存する粒状肥料を取り出し回収するための取出口８４が設けられている。この取出口８４は、回動支点８２ａ回りに回動可能に設けられた前記回動板８２を回動させ開閉する構成となっている。従って、作業終了後等に、繰出ロ−ラ４２ａの駆動を停止した状態で回動板８２を下側へ向けて回動させて前記取出口８４を開き、前記回動板８２の開位置固定用係合部８２ｂを係合軸８５にはめこんで開位置で固定すると、回動板８２と一体の案内板８２ｃが繰出ロ−ラ４２ａに当接する。そして、前記ブラシ８１を繰出部ケ−ス４２ｃに対して前方にスライドさせて引き抜くと、ブラシ８１により落下を規制されていた肥料タンク４１及び繰出ロ−ラ４２ａ上方の粒状肥料が前記案内板８２ｃに案内されて回動板８２上を落下して肥料が取り出せるようになっている。尚、前記回動板８２は、コの字型になっており、取出口８４から回収する粒状肥料が左右方向にこぼれにくいように構成されている。
【００２４】
図４，５に示すように、施肥装置１は、走行車体３の左右の後フレ−ム８６，８６にそれぞれ挿入された左右の施肥フレ−ム部８７，８７の上端をつなぐように固着された支持プレ−ト８８に前記エアチャンバ−４４が溶接され、走行車体３に支持された構成となっている。前記後フレ−ム８６，８６に対して前記施肥フレ−ム部８７，８７が上下に移動することにより、施肥装置１のエアチャンバ−４４、送風ブロア４５、肥料タンク４１、肥料繰出部４２…及び案内管４３…を備えて構成される上下移動部分が走行車体３に対して上下に移動するようになっている。尚、移送管４７…は、この施肥装置１の上下移動部分の上方への移動において取り外す必要のないように、施肥部４８…までの長さが設定されている。また、前記施肥伝動軸５３は、該軸５３方向に伸縮可能な構成となっているので、施肥装置１の上下移動部分の上方への移動において取り外す必要がない。走行車体３の左側の後フレ−ム８６と前記エアチャンバ−４４との間にはエアダンパ−８９が設けられ、このエアダンパ−８９により施肥装置１の上下移動部分が上方に移動する方向に付勢されている。このエアダンパ−８９は、施肥装置１を上方へ移動させるときに施肥装置１の上下移動部分の自重を受け、作業者が施肥装置１の上下移動部分を持ち上げる負荷を軽減させている。尚、施肥装置１には肥料繰出部４２…の前側に突出した左右の施肥装置移動レバ−９０，９０が設けられており、この施肥装置移動レバ−９０，９０を作業者が把持して施肥装置１の上下移動部分を移動させるようになっている。
【００２５】
前記施肥装置移動レバ−９０，９０は、エアチャンバ−４４に固着された前記支持プレ−ト８８に取り付けられた回動軸９１の両端部に該軸９１と一体回転するように設けられている。また、施肥装置１の上下移動部分を通常作業位置で固定するための通常作業位置固定用ア−ム９２，９２が左右の施肥フレ−ム部８７，８７の内側にそれぞれ設けられている。この通常作業位置固定用ア−ム９２，９２は、前記回動軸９１に該ア−ム９２，９２のボス部９３，９３が嵌合して前記回動軸９１回りに回動するように設けられている。前記回動軸９１の前記ボス部９３，９３が嵌合する部分にはキ−９４，９４が設けられ、前記回動軸９１の回動方向で前記キ−９４，９４より幅広のキ−溝９３ａ，９３ａが前記ボス部９３，９３に設けられている。通常作業位置固定用ア−ム９２，９２の後側に切欠き部９２ａ，９２ａが設けられ、この切欠き部９２ａ，９２ａに前記後フレ−ム部８６に固着された固定用ピン９５が係合して走行車体３に対する施肥装置１の上下移動部分の上下位置を固定するようになっている。従って、施肥装置移動レバ−９０，９０を所定位置より上方に回動することにより、前記切欠き部９２ａ，９２ａと前記固定用ピン９５との係合が解除される方向に前記通常作業位置固定用ア−ム９２，９２が回動するようになっている。尚、通常作業位置固定用ア−ム９０，９０と支持プレ−ト８８との間にはトルクスプリング９６，９６が巻きかけられ、このトルクスプリング９６，９６により通常作業位置固定用ア−ム９０，９０が固定用ピン９５側に回動するように付勢されている。
【００２６】
また、左右の通常作業位置固定用ア−ム９２，９２の間で左側の該ア−ム９２寄りには、上昇位置固定用ア−ム９７が設けられている。前記上昇位置固定用ア−ム９７は、施肥装置移動レバ−９０，９０の回動軸９１に該ア−ム９７のボス部９８が嵌合して前記回動軸９１回りに回動するように設けられている。前記回動軸９１の前記ボス部９８が嵌合する部分にはキ−９９が設けられ、前記回動軸９１の回動方向で前記キ−９９より幅広のキ−溝９８ａが前記ボス部９８に設けられている。上昇位置固定用ア−ム９７の前側に切欠き部９７ａが設けられ、この切欠き部９７ａに前記固定用ピン９５が係合して走行車体３に対する施肥装置１の上下移動部分の上下位置を固定するようになっている。従って、施肥装置移動レバ−９０，９０を所定位置より下方に回動することにより、前記切欠き部９７ａと前記固定用ピン９５との係合が解除される方向に上昇位置固定用ア−ム９７が回動するようになっている。尚、上昇位置固定用ア−ム９７と支持プレ−ト８８との間には引張スプリング１００が巻きかけられ、この引張スプリング１００により上昇位置固定用ア−ム９７が固定用ピン９５側に回動するように付勢されている。
【００２７】
よって、通常施肥作業時等、施肥装置１の上下移動部分を通常作業位置に固定するときは、通常作業位置固定用ア−ム９２，９２の切欠き部９２ａ，９２ａを固定用ピン９５に係合させてエアダンパ−８９の付勢力により施肥装置１が上方位置に移動しないよう固定する。一方、作業終了後等、施肥装置１の上下移動部分を上昇位置に移動して固定するときは、作業者が施肥装置移動レバ−９０，９０を把持して上方に操作することにより、通常作業位置固定用ア−ム９２，９２が前方に回動して該ア−ム９２，９２の切欠き部９２ａ，９２ａと固定用ピン９５との係合を解除する。そして、エアダンパ−８９の付勢力及び作業者による施肥装置移動レバ−９０，９０の操作力により施肥装置１の上下移動部分を上方へ移動させ、この上方への移動により引張スプリング１００により前方に回動付勢された上昇位置固定用ア−ム９７が前方へ回動して該ア−ム９７の切欠き部９７ａに前記固定用ピン９５が係合して上昇位置で施肥装置１の上下移動部分を固定する。また、施肥装置１の上下移動部分を上昇位置から通常作業位置に移動するときは、作業者が施肥装置移動レバ−９０，９０を下方に操作することにより、上昇位置固定用ア−ム９７が後方に回動して該ア−ム９７の切欠き部９７ａと固定用ピン９５との係合を解除させると共に、施肥装置移動レバ−９０，９０の下方への操作力により施肥装置１の上下移動部分を下方へ移動させ、この下方への移動により通常作業位置固定用ア−ム９２，９２の切欠き部９２ａ，９２ａに前記固定用ピン９５が係合して通常作業位置で施肥装置１の上下移動部分を固定する。
【００２８】
尚、施肥装置１の上下移動部分の上昇位置から通常作業位置への移動において、前記通常作業位置固定用ア−ム９２，９２の先端部の後上がりの傾斜面９２ｂ，９２ｂが前記固定用ピン９５に当たることにより該ア−ム９２，９２がトルクスプリング９６，９６による後方への回動の付勢力に抗して前方へ回動し、通常作業位置固定用ア−ム９２，９２の切欠き部９２ａ，９２ａが固定用ピン９５の高さまで下降すると前記トルクスプリング９６，９６の付勢により通常作業位置固定用ア−ム９２，９２が後方に回動して前記切欠き部９２ａ，９２ａに前記固定用ピン９５が係合するようになっている。このとき、施肥装置移動レバ−９０，９０の回動軸９１の前記キ−９４，９４より通常作業位置固定用ア−ム９２，９２のボス部９３，９３のキ−溝９３ａ，９３ａが該軸９１の回動方向で幅広に構成されているので、施肥装置移動レバ−９０，９０を下方へ操作しても通常作業位置固定用ア−ム９２，９２の前記傾斜面９２ｂ，９２ｂと前記固定用ピン９５とが当たることによって該ア−ム９２，９２が前方へ回動し、施肥装置移動レバ−９０，９０の下方への操作により施肥装置１の上下移動部分の上昇位置から通常作業位置への移動が行えるようになっている。
【００２９】
また、前記上昇位置固定用ア−ム９７は、機体の左右中央に対して左側に偏位した位置に設けられ、施肥装置１の上下移動部分の左端部に設けた送風ブロア４５により機体の左右中央に対して左寄りとなる該上下移動部分の重心位置に近づけて配置され、上昇位置における前記上下移動部分の支持が安定するように構成している。同様に、エアダンパ−８９は、機体の左右中央に対して左側に偏位した位置に設けられ、機体の左右中央に対して左寄りとなる前記上下移動部分の重心位置に近づけて配置され、前記上下移動部分の上昇位置への移動がスム−スに行えるように構成している。また、上昇位置固定用ア−ム９７とエアダンパ−８９とが共に機体の左右中央に対して左側に偏位した位置で互いに近づけて配置され、上昇位置固定用ア−ム９７がエアダンパ−８９による上方への付勢力を安定して受ける構成となっている。尚、施肥装置１の上下移動部分を上方に付勢する前記エアダンパ−８９は単一であるため、エアダンパ−が複数設けられることによるそれぞれのエアダンパ−の上方への付勢力が不適性になって施肥装置の上下移動部分の上昇に抵抗を生じさせることがない。また、前記エアダンパ−８９が左側の施肥フレ−ム部８７と同じ向きで該フレ−ム部８７の近傍に設けられているので、施肥装置１の上下移動部分を上昇させるとき該施肥フレ−ム部８７に前後左右方向からエアダンパ−８９の付勢力がかかりにくく、施肥フレ−ム部８７と走行車体３の後フレ−ム８６との摺動抵抗が発生するのを抑制できる
【００３０】
従って、作業終了後等に肥料タンク４１及び肥料繰出部４２…に残存した粒状肥料を取り出すときには、作業者が機体に乗ったまま肥料タンク４１及び肥料繰出部４２…を走行車体３に対して上方位置に移動させて、施肥装置１の上下移動部分の下方に空間を構成することにより、肥料繰出部４２…及びその周辺のメンテナンスや肥料繰出部４２…の前部側に設けられた取出口８４…から肥料タンク４１及び肥料繰出部４２…に残存した粒状肥料を取り出す作業が容易に行なえる。
【００３１】
施肥装置１の肥料繰出部４２…の前側には、各２条毎の条クラッチレバ−１０１，１０１，１０１が設けられている。この条クラッチレバ−１０１，１０１，１０１の操作により、各２条毎に施肥装置１の肥料繰出部４２…の繰出作動及び苗植付部４の植付作動の入切が行えるようになっている。前記条クラッチレバ−１０１，１０１，１０１は、左右方向の回動軸１０１ａ，１０１ａ，１０１ａ回りに回動して操作するようになっており、苗植付装置連動用ワイヤ１０２，１０２，１０２及び苗送りベルト連動用ワイヤ１０３，１０３，１０３のそれぞれの一端が取り付けられている。条クラッチレバ−１０１，１０１，１０１を前下方に向けて回動操作することにより、前記苗植付装置連動用ワイヤ１０２，１０２，１０２が弛められて各２条毎の苗植付装置１８…の駆動が停止されると共に前記苗送りベルト連動用ワイヤ１０３，１０３，１０３が引っ張られて各２条毎の苗送りベルト２２…の駆動が停止される構成となっている。
【００３２】
尚、条クラッチレバ−１０１，１０１，１０１の回動軸１０１ａ，１０１ａ，１０１ａは、取付ボルト１０４，１０４，１０４によりエアチャンバ−４４に取り付けられた条クラッチレバ−取付枠１０５，１０５，１０５の右プレ−ト部１０５ａ，１０５ａ，１０５ａに固着されている。尚、前記条クラッチレバ−取付枠１０５は、前記取付ボルト１０４を締め付けるためのボルト締付部１０５ｂ、該ボルト締付部１０５ｂを固着した下プレ−ト部１０５ｃ、右プレ−ト部１０５ａ、上プレ−ト部１０５ｄ、左プレ−ト部１０５ｅ、中間プレ−ト部１０５ｆ及び後プレ−ト部１０５ｇにより一体的に構成されている。そして、前記苗植付装置連動用ワイヤ１０２及び前記苗送りベルト連動用ワイヤ１０３のそれぞれのアウタ−１０２ａ，１０３ａは、前記条クラッチレバ−取付枠１０５の後プレ−ト
部１０５ｇに取り付けられている。
【００３３】
すなわち、前記苗植付装置連動用ワイヤ１０２，１０２，１０２の他端には、それぞれ苗植付装置クラッチピン（図示せず）が取り付けられている。この苗植付装置クラッチピンは、苗植付部４の植付伝動部１７の植付伝動ケ−ス１７ａに設けられ、前記苗植付装置連動用ワイヤ１０２により該ケ−ス１７ａに対して引かれるようになっている。尚、前記苗植付装置クラッチピンは、圧縮スプリング（図示せず）により植付伝動ケ−ス１７ａ内に押し込む方向に付勢されている。前述の植付クラッチと同様に、前記苗植付装置クラッチピンが植付伝動ケ−ス内に押し込まれることにより、前記植付伝動ケ−ス１７ａ内に設けられ各２条毎の苗植付装置１８…のみの駆動の入切を行える苗植付装置クラッチ（図示せず）が当該苗植付装置１８…への伝動を断つようになっている。
【００３４】
また、図１４に示すように、前記苗送りベルト連動用ワイヤ１０３，１０３，１０３の他端は、苗載置台１６の裏面に回動可能に設けられた各２条毎の苗送り停止用プレ−ト１０６，１０６，１０６に取り付けられている。この苗送り停止用プレ−ト１０６，１０６，１０６には、筒状のカム部１０６ａ，１０６ａ，１０６ａが設けられている。苗送りベルト連動用ワイヤ１０３，１０３，１０３が引かれて前記苗送り停止用プレ−ト１０６，１０６，１０６が前方に回動することにより、該カム部１０６ａ，１０６ａ，１０６ａが苗送り中継ア−ム３０，３０，３０に当接して該苗送り中継ア−ム３０，３０，３０を枢支軸３０ａ，３０ａ，３０ａ回りに回動させ、該ア−ム３０，３０，３０の先端の切欠き部３０ｂ，３０ｂ，３０ｂと苗送りア−ム３１，３１，３１の先端の筒状部３１ａ，３１ａ，３１ａとの係合を解除して苗送りア−ム３１，３１，３１ヘの伝動を断ち、苗送りベルト２２…の駆動を停止するようになっている。
【００３５】
そして、図１２、図１３に示すように、条クラッチレバ−１０１，１０１，１０１を前下方に向けて回動操作することにより、該レバ−１０１，１０１，１０１の端部１０１ｂ，１０１ｂ，１０１ｂが平面視Ｌ字型に折り曲げられた各２条毎の肥料繰出停止作動棒１０７，１０７，１０７の前部の折り曲げ部１０７ａ，１０７ａ，１０７ａに下方から当接し、該肥料繰出停止作動棒１０７，１０７，１０７の基部となる前後方向の軸１０７ｂ，１０７ｂ，１０７ｂ回りに前記肥料繰出停止作動棒１０７，１０７，１０７が背面視で左方向に回転する。前記肥料繰出停止作動棒１０７，１０７，１０７は、取付ボルト１０４，１０４，１０４によりエアチャンバ−４４に取り付けられた条クラッチレバ−取付枠１０５，１０５，１０５の中間プレ−ト部１０５ｆ，１０５ｆ，１０５ｆ及び後プレ−ト部１０５ｇ，１０５ｇ，１０５ｇの孔に基部１０７ｂ，１０７ｂ，１０７ｂが挿入された構成となっており、前記後プレ−ト部１０５ｇ，１０５ｇ，１０５ｇの後側に該肥料繰出停止作動棒１０７，１０７，１０７と一体回転する繰出クラッチア−ム１０８，１０８，１０８が取り付けられている。従って、条クラッチレバ−１０１，１０１，１０１の前下方への操作により前記繰出クラッチア−ム１０８，１０８，１０８が左方向に回転し、各２条毎の繰出クラッチ５６，５６，５６を施肥駆動軸５５に沿って左方向へ移動させて肥料繰出部４２…への伝動を断つようになっている。すなわち、前記各２条毎の繰出クラッチ５６，５６，５６はキ−１０９，１０９，１０９により前記施肥駆動軸５５と一体回転するように設けられ、該繰出クラッチ５６，５６，５６の右部には駆動クラッチ爪５６ａ，５６ａ，５６ａが設けられると共に該駆動クラッチ爪５６ａ，５６ａ，５６ａと噛み合う受動クラッチ爪５７ａ，５７ａ，５７ａが施肥駆動軸５５に設けられた肥料繰出部４２…への各条毎の隣接する駆動ギヤ５７…の内の左側の該駆動ギヤ５７，５７，５７の左端に設けられ、左側の該駆動ギヤ５７，５７，５７の右端の駆動クラッチ爪５７ｂ，５７ｂ，５７ｂに右側の駆動ギヤ５７，５７，５７の左端の受動クラッチ爪５７ｃ，５７ｃ，５７ｃが常時噛み合うようになっている。よって、前記各２条毎の繰出クラッチ５６，５６，５６により、各２条毎の肥料繰出部４２…への伝動の入切が行える。尚、繰出クラッチ５６，５６，５６の左側には圧縮スプリング１１０，１１０，１１０が設けられ、この圧縮スプリング１１０，１１０，１１０により前記繰出クラッチ５６，５６，５６が前記駆動ギヤ５７，５７，５７側に付勢されている。尚、エアチャンバ−４４には、条クラッチレバ−１０１，１０１，１０１を前下方位置でひっかけて固定するための係止プレ−ト１０１ｃ，１０１ｃ，１０１ｃが固着されている。
【００３６】
また、繰出クラッチ５６，５６，５６の前記駆動クラッチ爪５６ａ，５６ａ，５６ａ及び駆動ギヤ５７，５７，５７の前記受動クラッチ爪５７ａ，５７ａ，５７ａには互いの接触面が施肥駆動軸５５方向に対して傾斜しており、肥料繰出部４２…の繰出ロ−ラ４２ａ…の外周部に粒状肥料を噛み込むなどして肥料繰出部４２ａ…の駆動にメカロックが生じたとき、前記圧縮スプリング１１０，１１０，１１０が圧縮されて繰出クラッチ５６，５６，５６の伝動が断たれるようになっている。このとき、条クラッチレバ−１０１，１０１，１０１の端部１０１ｂ，１０１ｂ，１０１ｂと肥料繰出停止作動棒１０７，１０７，１０７の折り曲げ部１０７ａ，１０７ａ，１０７ａとが当接していないので、繰出クラッチ５６，５６，５６は施肥駆動軸５５に沿って切方向に摺動する。従って、前記繰出クラッチ５６，５６，５６は、肥料繰出部４２…の駆動にメカロックが生じたときに該肥料繰出部４２…への伝動を断つ安全クラッチの機能も果たしている。
【００３７】
尚、条クラッチレバ−取付枠１０５，１０５，１０５の中間プレ−ト部１０５ｆ，１０５ｆ，１０５ｆの下部には条クラッチ入切検出スイッチ１１１，１１１，１１１が設けられ、条クラッチレバ−１０１，１０１，１０１の前下方への操作により側面視Ｕ字型の板ばね１１２，１１２，１１２に該レバ−１０１，１０１，１０１の端部１０１ｂ，１０１ｂ，１０１ｂが当接して前記条クラッチ入切検出スイッチ１１１，１１１，１１１が押されるようになっている。すなわち、条クラッチレバ−１０１，１０１，１０１の切操作によりそれぞれの前記条クラッチ入切検出スイッチ１１１，１１１，１１１が押される。そして、条クラッチ入切検出スイッチ１１１，１１１，１１１が押されると、操縦席４６の前方に設けたモニタ−パネル１１３内のモニタ−ランプにより条クラッチレバ−１０１，１０１，１０１が切操作されていることを表示するようになっている。
【００３８】
以上により、この施肥装置付きの乗用型田植機２は、走行車体３を走行させながら複数条植えの苗植付部４及び複数の施肥部４８…を備える施肥装置１を駆動させて圃場に施肥を行いながら苗を植え付けていく。そして、前記苗植付部４の一部の植付条の植付及び前記複数の施肥部４８…のうちの一部の施肥部４８…の施肥を停止するとき、操縦席４６に座ったオペレ−タが条クラッチレバ−１０１，１０１，１０１を前下方へ操作することによりそれぞれ該当する苗植付装置１８…、苗送りベルト２２…及び肥料繰出部４２…の作動が停止される。尚、条クラッチレバ−１０１，１０１，１０１の前下方への操作により、該レバ−１０１，１０１，１０１の端部１０１ｂ，１０１ｂ，１０１ｂが肥料繰出停止作動棒１０７，１０７，１０７の折り曲げ部１０７ａ，１０７ａ，１０７ａと当接して当該肥料繰出部４２…の作動が停止される。
【００３９】
条クラッチレバ−取付枠１０５，１０５，１０５は、取付ボルト１０４，１０４，１０４を外すことにより苗植付装置連動用ワイヤ１０２，１０２，１０２、苗送りベルト連動用ワイヤ１０３，１０３，１０３及び繰出クラッチア−ム１０８，１０８，１０８が取り付けられた状態で取り外すことができる。このとき、条クラッチレバ−１０１，１０１，１０１を入状態（後上方に操作された状態）で条クラッチレバ−取付枠１０５，１０５，１０５を取り外すことにより、肥料繰出停止作動棒１０７，１０７，１０７が条クラッチレバ−１０１，１０１，１０１に当接せずフリ−の状態にあるので、前記繰出クラッチア−ム１０８，１０８，１０８を自由に回動させながら該ア−ム１０８，１０８，１０８を繰出クラッチ５６，５６，５６から外すことができ、前記条クラッチレバ−取付枠１０５，１０５，１０５を容易に取り外すことができる。
【００４０】
よって、条クラッチレバ−１０１，１０１，１０１が走行車体３の後部に設けられた前
記肥料繰出部４２…の近傍に設けられているので、前記条クラッチレバ−１０１，１０１，１０１の操作連繋機構のコンパクト化が図れると共に走行車体３の操縦席４６にいるオペレ−タから近い位置に前記条クラッチレバ−１０１，１０１，１０１が配置され、前記条クラッチレバ−１０１，１０１，１０１を操作するにあたりオペレ−タが肥料タンク４１の後側に手を延ばす必要がなく、該条クラッチレバ−１０１，１０１，１０１の操作を行い易い。また、前記条クラッチレバ−１０１，１０１，１０１の操作により駆動する駆動体となる該レバ−１０１，１０１，１０１の端部１０１ｂ，１０１ｂ，１０１ｂとの当接、非当接により作動する受動体となる肥料繰出停止作動棒１０７，１０７，１０７の作動により肥料繰出部４２…の繰出作動が入切される構成としているので、条クラッチレバ−１０１，１０１，１０１を肥料繰出部４２…から離すべく条クラッチレバ−取付枠１０５，１０５，１０５ごと該レバ−１０１，１０１，１０１を取り外すことが容易にでき、肥料繰出部４２…の清掃等のメンテナンス時や該肥料繰出部４２…の繰出ロ−ラ４２ａ…を着脱するときに、前記条クラッチレバ−１０１，１０１，１０１が邪魔にならずに容易に行える。
【００４１】
尚、この発明の実施の形態は粒状肥料用の施肥装置について詳述したが、本発明は液状肥料用の施肥装置においても利用できるものである。
尚、この発明の実施の形態は６条植えの施肥装置付きの乗用型田植機について詳述したが、本発明は６条植えのものに限定されるものではない。
【図面の簡単な説明】
【図１】施肥装置付きの乗用型田植機の側面図
【図２】施肥装置付きの乗用型田植機の平面図
【図３】走行車体の平面断面図
【図４】施肥装置を示す背面図
【図５】施肥装置の一部を示す側面断面図
【図６】施肥装置の一部を示す背面断面図
【図７】植付クラッチケ−スを示す平面展開断面図
【図８】施肥装置の上下移動部分の移動機構を示す背面図
【図９】施肥装置の上下移動部分の移動機構を示す側面図
【図１０】上昇位置固定用ア−ムを示す側面図
【図１１】通常作業位置固定用ア−ムを示す側面図
【図１２】条クラッチレバ−を示す側面図
【図１３】条クラッチレバ−を示す背面図
【図１４】苗送りベルトの停止機構を示す側面図
【図１５】繰出クラッチを示す背面断面図
【符号の説明】
１…施肥装置、２…施肥装置付きの乗用型田植機（施肥機）、４２…肥料繰出部、４３…案内管、４４…エアチャンバ−、４８…施肥部、５５…施肥駆動軸、５６，５６，５６…繰出クラッチ、５６ａ，５６ａ，５６ａ…駆動クラッチ爪、１０１，１０１，１０１…条クラッチレバ−（操作具）、１０１ｂ，１０１ｂ，１０１ｂ…条クラッチレバ−の端部（駆動体）、１０１ｃ，１０１ｃ，１０１ｃ…係止プレ−ト、１０５，１０５，１０５…
条クラッチレバ−取付枠、１０７，１０７，１０７…肥料繰出停止作動棒（受動体）
【図１】
0003629904.tif 000002
【図２】
0003629904.tif 000003
【図３】
0003629904.tif 000004
【図４】
0003629904.tif 000005
【図５】
0003629904.tif 000006
【図６】
0003629904.tif 000007
【図７】
0003629904.tif 000008
【図８】
0003629904.tif 000009
【図９】
0003629904.tif 000010
【図１０】
0003629904.tif 000011
【図１１】
0003629904.tif 000012
【図１２】
0003629904.tif 000013
【図１３】
0003629904.tif 000014
【図１４】
0003629904.tif 000015
【図１５】
0003629904.tif 000016